(57)【特許請求の範囲】
【請求項１】
チャネルＵＰキーおよびチャネルＤＯＷＮキーを備え、前記チャネルＵＰキーまたはチャネルＤＯＷＮキーの長押し操作に応じてチャネル検索要求を発行する発行手段、チャネル検索要求が発行される毎に１つの放送チャネルを検索する検索手段、および前記検索手段によって検索された放送チャネルのコンテンツを出力するコンテンツ出力手段を有する受信機であって、
前記検索手段によって検索された放送チャネルのコンテンツを出力できるか否かを判別する第１判別手段、
前記第１判別手段によって前記放送チャネルのコンテンツを出力できると判別したとき、前記放送チャネルの識別情報を出力する識別情報出力手段、
前記識別情報出力手段が前記放送チャネルの識別情報を出力した後、前記長押し操作が解除されたか否かを判別する第２判別手段、
前記第２判別手段によって前記長押し操作が解除されたと判別したとき、前記識別情報出力手段を停止する停止手段、および
前記第１判別手段によって前記放送チャネルのコンテンツを出力できると判別しなかったとき、または、前記第２判別手段によって前記長押し操作が解除されたと判別しなかったとき、チャネル検索要求を再発行する再発行手段を備える、受信機。
【請求項２】
前記放送チャネルはＭＰＥＧデータおよびＮＩＴデータを含む地上波ディジタル放送のチャネルであり、前記第１判別手段は前記ＮＩＴデータの取得に成功したとき放送チャネルのコンテンツを手段できると判別する、請求項１記載の受信機。
【請求項３】
前記コンテンツ出力手段は、ＭＰＥＧデータに従って受信映像を表示し、前記識別情報出力手段は前記放送チャネルのチャネル番号を前記受信映像に重畳して表示する、請求項１または２記載の受信機。
【請求項４】
チャネルＵＰキーおよびチャネルＤＯＷＮキーを備え、前記チャネルＵＰキーまたはチャネルＤＯＷＮキーの長押し操作に応じてチャネル検索要求を発行する発行手段、チャネル検索要求が発行される毎に１つの放送チャネルを検索する検索手段、および前記検索手段によって検索された放送チャネルのコンテンツを出力するコンテンツ出力手段を有する受信機のプロセサに、
前記検索手段によって検索された放送チャネルのコンテンツを出力できるか否かを判別する第１判別ステップ、
前記第１判別ステップによって前記放送チャネルのコンテンツを出力できると判別したとき、前記放送チャネルの識別情報を出力する識別情報出力ステップ、
前記識別情報出力ステップで前記放送チャネルの識別情報を出力した後、前記長押し操作が解除されたか否かを判別する第２判別ステップ、
前記第２判別ステップで前記長押し操作が解除されたと判別したとき、前記識別情報出力ステップを停止する停止ステップ、および
前記第１判別ステップで前記放送チャネルのコンテンツを出力できると判別しなかったとき、または、前記第２判別ステップで前記長押し操作が解除されたと判別しなかったとき、チャネル検索要求を再発行する再発行ステップを実行させる、チャネル検索プログラム。
【発明の詳細な説明】
【技術分野】
【０００１】
この発明は、受信機に関し、特にたとえば地上ディジタル放送を受信する、受信機に関する。
【背景技術】
【０００２】
従来のこの種の装置の一例が、特許文献１に開示されている。この従来技術によれば、オートＭキーが長押しされると、受信可能な多数の放送チャネルの中から、所定の基準を満たすｎ個の放送チャネルが抽出される。その後、番組内容が同一の放送チャネルが排除され、最終的にｍ（ｍ＜ｎ）個の放送チャネルが登録される。
【特許文献１】特開２００３−２７３７０８号公報［H03J5/02, H04B1/16, H04H1/00］
【発明の開示】
【発明が解決しようとする課題】
【０００３】
しかし、従来技術では、オートＭキーが一旦長押しされると、上述の抽出処理および登録処理が必ず実行される。このため、鑑賞する番組の種類を問わない場合に、従来技術では、鑑賞を開始するまでに時間がかかる。
【０００４】
それゆえに、この発明の主たる目的は、コンテンツを速やかに出力することができる、受信機を提供することである。
【課題を解決するための手段】
【０００５】
請求項１の発明は、チャネルＵＰキーおよびチャネルＤＯＷＮキーを備え、チャネルＵＰキーまたはチャネルＤＯＷＮキーの長押し操作に応じてチャネル検索要求を発行する発行手段、チャネル検索要求が発行される毎に１つの放送チャネルを検索する検索手段、および検索手段によって検索された放送チャネルのコンテンツを出力するコンテンツ出力手段を有する受信機であって、検索手段によって検索された放送チャネルのコンテンツを出力できるか否かを判別する第１判別手段、第１判別手段によって放送チャネルのコンテンツを出力できると判別したとき、放送チャネルの識別情報を出力する識別情報出力手段、識別情報出力手段が放送チャネルの識別情報を出力した後、長押し操作が解除されたか否かを判別する第２判別手段、第２判別手段によって長押し操作が解除されたと判別したとき、識別情報出力手段を停止する停止手段、および第１判別手段によって放送チャネルのコンテンツを出力できると判別しなかったとき、または、第２判別手段によって長押し操作が解除されたと判別しなかったとき、チャネル検索要求を再発行する再発行手段を備える、受信機である。
【０００６】
検索手段は、チャネル検索要求が発行される毎に１つの放送チャネルを検索する。検索された放送チャネルの識別情報は、情報出力手段によって出力される。ここで、チャネル検索要求は、チャネルＵＰキーまたはチャネルＤＯＷＮキーの長押し操作に応答して、発行手段によって発行される。
【０００７】
第１判別手段は、検索手段によって検索された放送チャネルのコンテンツを出力できるか否かを判別する。識別情報出力手段は、第１判別手段の判別結果が肯定的であるとき、識別情報を出力する。
【０００８】
第２判別手段は、長押し操作が解除状態であるか否かを起動手段の起動処理に関連して判別する。停止手段は、第２判別手段の判別結果が肯定的であるとき、情報出力手段を停止する。
【０００９】
第１判別手段の判別結果および第２判別手段の判別結果のいずれか一方が否定的であれば、チャネル検索要求が再発行手段によって再度発行される。
【００１０】
したがって、長押し操作が解除されなければ、検索された放送チャネルのコンテンツを出力できるか否かに関係なく、チャネル検索要求が繰り返し発行され、放送チャネルが繰り返し検索される。そして、コンテンツを出力できる放送チャネルが検索される毎に、この放送チャネルの識別情報が出力される。長押し操作が解除されると、コンテンツを出力できる放送チャネルが検索された時点で、検索処理と識別情報の出力とが中止される。これによって、コンテンツを出力できる放送チャネルを簡便かつ速やかに設定することができる。
【００１１】
請求項２の発明は、放送チャネルはＭＰＥＧデータおよびＮＩＴデータを含む地上ディジタル放送のチャネルであり、第１判別手段はＮＩＴデータの取得に成功したとき放送チャネルのコンテンツを出力できると判断する、請求項１記載の受信機である。
【００１２】
請求項３の発明は、コンテンツ出力手段は、ＭＰＥＧデータに従って受信映像を表示し、識別情報出力手段は放送チャネルのチャネル番号を受信映像に重畳して表示する、請求項１または２記載の受信機である。
【００１３】
請求項４の発明は、チャネルＵＰキーおよびチャネルＤＯＷＮキーを備え、チャネルＵＰキーまたはチャネルＤＯＷＮキーの長押し操作に応じてチャネル検索要求を発行する発行手段、チャネル検索要求が発行される毎に１つの放送チャネルを検索する検索手段、および検索手段によって検索された放送チャネルのコンテンツを出力するコンテンツ出力手段を有する受信機のプロセサに、検索手段によって検索された放送チャネルのコンテンツを出力できるか否かを判別する第１判別ステップ、第１判別ステップによって放送チャネルのコンテンツを出力できると判別したとき、放送チャネルの識別情報を出力する識別情報出力ステップ、識別情報出力ステップで放送チャネルの識別情報を出力した後、長押し操作が解除されたか否かを判別する第２判別ステップ、第２判別ステップで長押し操作が解除されたと判別したとき、識別情報出力ステップを停止する停止ステップ、および第１判別ステップで放送チャネルのコンテンツを出力できると判別しなかったとき、または、第２判別ステップで長押し操作が解除されたと判別しなかったとき、チャネル検索要求を再発行する再発行ステップを実行させる、チャネル検索プログラムである。
【発明の効果】
【００１４】
この発明によれば、チャネルＵＰキーまたはチャネルＤＯＷＮキーの長押し操作が解除されなければ、検索された放送チャネルのコンテンツを出力できるか否かに関係なく、チャネル検索要求が繰り返し発行され、放送チャネルが繰り返し検索される。そして、コンテンツを出力できる放送チャネルが検索される毎に、この放送チャネルの識別情報が出力される。チャネルＵＰキーまたはチャネルＤＯＷＮキーの長押し操作が解除されると、コンテンツを出力できる放送チャネルが検索された時点で、検索処理と識別情報の出力とが中止される。これによって、コンテンツを出力できる放送チャネルを簡便かつ速やかに設定することができる。
【００１５】
この発明の上述の目的，その他の目的，特徴および利点は、図面を参照して行う以下の実施例の詳細な説明から一層明らかとなろう。
【発明を実施するための最良の形態】
【００１６】
図１を参照して、この実施例のディジタル放送受信機１０は、自動車のような移動体に搭載される。アンテナ１２によって捉えられた地上ディジタル放送の高周波信号は、地上波チューナ１４に与えられる。地上波チューナ１４は、アンテナ１２から与えられた高周波信号のうち所望のトランスポンダから出力された高周波信号をベースバンド信号に変換する。ベースバンド信号は、ＯＦＤＭ復調回路１６によってＴＳ(Transport Stream)に変換される。デマルチプレクサ１８は、変換されたＴＳをＭＰＥＧデータとＮＩＴ(Network Information Table)とに分離し、ＭＰＥＧデータをＭＰＥＧデコーダ２０に与える一方、ＮＩＴをＣＰＵ２２に与える。
【００１７】
ＭＰＥＧデータ２０は、デマルチプレクサ１８から出力されたＭＰＥＧデータをデコードし、番組映像データを加算器３０を介してＮＴＳＣエンコーダ３２に入力する一方、番組音声データを音声処理回路３４に入力する。ＮＴＳＣエンコーダ３２は、入力された番組映像データをコンポジットビデオ信号にエンコードし、エンコードされたコンポジット映像信号をＬＣＤモニタ３４から出力する。音声処理回路３６は、入力された番組音声データにＤ／Ａ変換を施し、アナログ音声信号をスピーカ３８に出力する。
【００１８】
リモコン装置４０に設けられたチャネルＵＰキー４０ｕまたはチャネルＤＯＷＮキー４０ｄが長押しされると、ＣＰＵ２２は、チャネル検索要求を地上波チューナ１４に向けて発行する。地上波チューナ１４は、現時点で設定されている周波数を基準として、チャネル検索処理を実行する。つまり、地上波チューナ１４は、数値が増大する方向または数値が減少する方向に周波数を変更し、キャリアが捕捉されたときに周波数をロックし、そして周波数ロック通知をＣＰＵ２２に与える。
【００１９】
ＣＰＵ２２は、デマルチプレクサ１８からＮＩＴを取得できるか否かを判別し、取得できなければチャネル検索要求を地上波チューナ１４に向けて再度発行する。地上波チューナ１４は、チャネル検索処理を再度実行する。
【００２０】
デマルチプレクサ１８からＮＩＴを取得できると、ＣＰＵ２２は、取得されたＮＩＴに基づいてチャネル番号を特定し、特定されたチャネル番号をＤＲＡＭ２４に形成されたチャネルリスト２４ｃｈに登録する。ＣＰＵ２２はさらに、登録されたチャネル番号に対応するキャラクタデータの出力をキャラクタジェネレータ２８に命令する。キャラクタジェネレータ２８は命令に従うキャラクタジェネレータを加算器３０に与える。この結果、特定されたチャネル番号が図２に示す要領で番組映像に多重される。
【００２１】
この時点でチャネルＵＰキー４０ｕまたはチャネルＤＯＷＮキー４０ｄの長押しが継続されていれば、ＣＰＵ２２は、チャネル検索要求を地上波チューナ１４に向けて発行する。地上波チューナ１４は、チャネル検索処理を実行する。これに対して、チャネルＵＰキー４０ｕまたはチャネルＤＯＷＮキー４０ｄの長押しが解除されていれば、ＣＰＵ２２は、キャラクタデータの出力の中止をキャラクタジェネレータ２８に命令する。チャネル番号の表示がこれによって終了される。
【００２２】
ＣＰＵ２２は、具体的には、図２〜図３に示すフロー図に従う処理を実行する。なお、このフロー図に対応する制御プログラムは、フラッシュメモリ２６に記憶される。
【００２３】
まず、チャネルＵＰキー４０ｕまたはチャネルＤＯＷＮキー４０ｄが長押しされたか否かをステップＳ１で判別する。ここでＹＥＳであれば、ステップＳ３でチャネル検索要求を地上波チューナ１４に向けて発行する。地上波チューナ１４は、現時点で選局している放送チャネルを基準として、チャネル検索処理を実行する。なお、チャネル検索処理による周波数ロックの結果、ロックされた周波数で放送されるチャネルの番組映像および番組音声が、ＬＣＤモニタ３４およびスピーカ３８からそれぞれ出力される。
【００２４】
ステップＳ５では、地上波チューナ１４から周波数ロック通知を受けたか否かを判別し、ステップＳ７ではタイムアウトが発生したか否かを判別する。ステップＳ５でＹＥＳであればステップＳ１１に進み、ステップＳ７でＹＥＳであればステップＳ９でチャネル走査の開始を地上波チューナ１４に要求してからステップＳ５に戻る。
【００２５】
ステップＳ１１では、デマルチプレクサ１８からＮＩＴが与えられたか否かを判別し、ステップＳ１３ではタイムアウトが発生したか否かを判別する。ステップＳ１３でＹＥＳでれば、ステップＳ２３でチャネル検索要求を地上波チューナ１４に向けて発行してからステップＳ５に戻る。
【００２６】
ステップＳ１１でＹＥＳであれば、現時点の周波数の放送番組を出力できるとみなし、ステップＳ１５でチャネルリスト４０ｃｈをＤＲＡＭ２４上に作成する。つまり、デマルチプレクサ１８から取得したＮＩＴに記述されたチャネル番号を、チャネルリスト２４ｃｈに書き込む。続くステップＳ１７では、チャネルリスト２４ｃｈに書き込まれたチャネル番号を示すキャラクタデータの出力をキャラクタジェネレータ２８に命令する。この結果、チャネル番号が、図２に示す要領で番組映像に多重される。
【００２７】
ステップＳ１９では、チャネルＵＰキー４０ｕまたはチャネルＤＯＷＮキー４０ｄの長押しが解除されたか否かを判別する。ここでＮＯであれば、ステップＳ２３の処理を経てステップＳ５に戻る。一方、ＹＥＳであれば、チャネル番号の多重表示を中止するべく、キャラクタデータの出力の中止をステップＳ２１でキャラクタジェネレータ２８に命令する。ステップＳ２１の処理が完了すると、ステップＳ１に戻る。
【００２８】
以上の説明から分かるように、地上波チューナ１４は、チャネル検索要求が発行される毎に１つの放送チャネルを検索する。検索された放送チャネルのチャネル番号は、キャラクタジェネレータ２８によって出力される。ここで、チャネル検索要求は、チャネルＵＰキー４０ｕまたはチャネルＤＯＷＮキー４０ｄの長押しに応答して、ＣＰＵ２２によって発行される(S3)。
【００２９】
ＣＰＵ２２は、地上波チューナ１４によって検索された放送チャネルの番組を出力できるか否かを判別する(S11)。キャラクタジェネレータ２８は、この判別結果が肯定的であるとき、起動される(S17)。
【００３０】
ＣＰＵ２２はまた、チャネルＵＰキー４０ｕまたはチャネルＤＯＷＮキー４０ｄの長押しが解除状態であるか否かをキャラクタジェネレータ２８の起動処理に関連して判別する(S19)。ＣＰＵ２２は、この判別結果が肯定的であるとき、キャラクタジェネレータ２８を停止する(S21)。ＣＰＵ２２はまた、番組を出力できないか、あるいはチャネルＵＰキー４０ｕまたはチャネルＤＯＷＮキー４０ｄの長押しが継続されているとき、チャネル検索要求を再発行する(S23)。
【００３１】
したがって、キーの長押しが解除されなければ、検索された放送チャネルの番組を出力できるか否かに関係なく、チャネル検索要求が繰り返し発行され、放送チャネルが繰り返し検索される。そして、番組を出力できる放送チャネルが検索される毎に、この放送チャネルのチャネル番号が出力される。キーの長押しが解除されると、番組を出力できる放送チャネルが検索された時点で、チャネル検索処理とチャネル番号の出力とが中止される。これによって、番組を出力できる放送チャネルを簡便かつ速やかに設定することができる。
【００３２】
なお、この実施例では、ユーザの操作を受け付けるためにリモコン装置を用いているが、リモコン装置に代えてまたはリモコン装置とともに、タッチパネルを用いるようにしてもよい。
【図面の簡単な説明】
【００３３】
【図１】この発明の一実施例の構成を示すブロック図である。
【図２】図１実施例の動作の一部を示す図解図である。
【図３】図１実施例に適用されるＣＰＵの動作の一部を示すフロー図である。
【図４】図１実施例に適用されるＣＰＵの動作の他の一部を示すフロー図である。
【符号の説明】
【００３４】
１０  …ディジタル放送受信機
１４  …地上波チューナ
１８  …デマルチプレクサ
２０  …ＭＰＥＧデコーダ
２２  …ＣＰＵ
【図１】
0004753595.tif 000002
【図２】
0004753595.tif 000003
【図３】
0004753595.tif 000004
【図４】
0004753595.tif 000005